(57)【要約】【課題】  ディスプレイパネルの背面に装着されたスピーカの聴感上の音圧を改善したプラズマディスプレイ装置の提供を課題とする。【解決手段】  本発明においては、反射板６０をスライド機構６２ａ１，６２ｂ１，５２ａ，５２ｂによって上記反射板６０を上記筐体５０の背面側で側方方向に引き出すことが可能となる。すると、上記筐体５０の側方方向に向け配置されたスピーカ３１より放射された音声の一部が上記樋形状部６１によって上記筐体５０の側方方向に誘導されて上記反射板６０に衝突する。そして、上述の角度によってその進行方向が上記表示部４０前面に向かうことになる。  このように、上記表示部４０前面方向に音声が放射されることによって上記表示部４０の前面に位置する視聴者の聴感上の音圧を向上させることが可能となる。【選択図】  図５
2006050264.tif 000002
【特許請求の範囲】
【請求項１】
プラズマディスプレイパネルを前面に配置した表示部と、当該表示部の背面側で側方外側に向けてスピーカを配置した音声出力部と、上記表示部と上記音声出力部の制御を行う制御部と、これらを収容する薄箱状であり背面側で後方に向かうほど徐々に幅狭となる形状で両側方に傾斜面を有する形状の筺体とを備えるプラズマディスプレイ装置において、
収容された時点で上記筐体の背面側の上記傾斜面と面一となり、上記スピーカの前面側にて音声の一部をプラズマディスプレイパネルの前方側に反射させる断面略コの字形状で上記表示部の側に開口しつつ上記スピーカの側に向かって延設される樋形状部と放音孔とを有した反射板と、
当該樋形状部をスライド可能に支持し同反射板を上記筺体の側方方向に進退可能とするスライド機構とを具備することを特徴とするプラズマディスプレイ装置。
【請求項２】
プラズマディスプレイパネルを前面に配置した表示部と、当該表示部の背面側で側方外側に向けてスピーカを配置した音声出力部と、上記表示部と上記音声出力部の制御を行う制御部と、これらを収容する薄箱状の筺体とを備えるプラズマディスプレイ装置において、
上記スピーカの前面側にて音声の一部をプラズマディスプレイパネルの前方側に反射させる反射板と、
同反射板を上記筺体の側方方向に進退可能とするスライド機構とを具備することを特徴とするプラズマディスプレイ装置。
【請求項３】
上記反射板は、断面略コの字形状で上記表示部の側に開口しつつ上記スピーカの側に向かって延設される樋形状部を有し、
上記スライド機構は、当該樋形状部をスライド可能に支持することを特徴とする請求項２に記載のプラズマディスプレイ装置。
【請求項４】
上記反射板は、放音孔を有することを特徴とする請求項２または請求項３のいずれかに記載のプラズマディスプレイ装置。
【請求項５】
上記筐体は、背面側で上記スピーカを収容可能な大きさに一部盛り上がる傾斜面を有する形状であり、
上記反射板は収容された時点で上記傾斜面と面一になって収容され、上記筐体の側方方向に引き出すことにより前方側に音を反射させることを特徴とする請求項２から請求項４のいずれかに記載のプラズマディスプレイ装置。
【請求項６】
上記筐体は、背面側で後方に向かうほど徐々に幅狭となる形状で両側面で傾斜面を有し、その内部に横方向に配向した上記スピーカを収容することを特徴とする請求項５に記載のプラズマディスプレイ装置。
【請求項７】
上記スライド機構は、上記反射板をスライドして進退させるための駆動源と、同駆動源に対して進退の指示を与える進退制御回路を有することを特徴とする請求項２から請求項６のいずれかに記載のプラズマディスプレイ装置。
【請求項８】
上記音声出力部は、音声出力の状態を変える音声出力調整回路を有し、上記進退制御回路は、上記駆動源に対する進退の指示に伴って上記音声出力調整回路にてあらかじめ定めた所定の音声出力状態に変更させることを特徴とする請求項７に記載のプラズマディスプレイ装置。
【発明の詳細な説明】
【技術分野】
【０００１】
本発明は、プラズマディスプレイ装置に関し、特に、スピーカを装着したプラズマディスプレイ装置に関する。
【背景技術】
【０００２】
音声出力が可能な電子機器において、機構上の制約により小容積となりスピーカの音圧および出力が低く感じる問題の改善を図る技術として、特開２００１−１１９７７９号公報では、パーソナルコンピュータ等の情報処理装置に搭載スピーカの背面に所定の空間を形成し大型化することなく低音域の音声を出力できる技術の開示がある。
また、特開２００１−１４５１８６号公報では、ＣＲＴのキャビネットとバックカバーの空間を利用して低音用のスピーカボックスを設置し低音を高音圧で出力する技術の開示がある。
【０００３】
また、昭６４−８９０号公報では、空筒共振を異なるようにすることで低域特性の拡大を図る技術の開示がある。
ここで、音声出力が可能なディスプレイ装置等でディスプレイパネルの外枠にスピーカを前面に向け装着した構造では、ディスプレイパネルの大型化により視聴者にさらなる圧迫感を与えてしまうため、ディスプレイパネルの背面にスピーカを装着する場合が多く、特開平７−７９４９１号公報では、スピーカ後面からの放射音を前面に導いて放出することで音圧や音質の向上を図る技術の開示がある。
また、特開２００１−１４５１８６号公報では、スピーカ後面に機構上の制約によりディスプレイパネルの背面より放出した音を湾曲した音導管を介して前面へ放射する技術の開示がある。
【特許文献１】特開２００１−１１９７７９号公報
【特許文献２】特開２００１−１４５１８６号公報
【特許文献３】昭６４−８９０号公報
【特許文献４】特開平７−７９４９１号公報
【特許文献５】特開２００１−１６９３７８号公報
【発明の開示】
【発明が解決しようとする課題】
【０００４】
大型のディスプレイ装置等では、上述ような機構上の制約からディスプレイパネルの背面にスピーカを装着した場合、スピーカの指向方向が上記ディスプレイパネルにおける前面に向かないために上記ディスプレイパネル前面で視聴した聴感上、音声出力および音圧が低く感じるという課題がある。
【０００５】
本発明は、上記課題にかんがみてなされたもので、機構上の制約によりディスプレイパネルの背面に装着されたスピーカの聴感上の音圧を向上させることを目的とする。
【課題を解決するための手段】
【０００６】
上記目的を達成するため、請求項２にかかる発明では、プラズマディスプレイパネルを前面に配置した表示部と、当該表示部の背面側で側方外側に向けてスピーカを配置した音声出力部と、上記表示部と上記音声出力部の制御を行う制御部と、これらを収容する薄箱状の筺体とを備えるプラズマディスプレイ装置において、
上記スピーカの前面側にて音声の一部をプラズマディスプレイパネルの前方側に反射させる反射板と、
同反射板を上記筺体の側方方向に進退可能とするスライド機構とを具備する構成としてある。
【０００７】
上記のように構成した請求項２にかかる発明においては、上記反射板は上記スライド機構にて上記筐体の側方方向に引き出されることにより、上記筐体側方方向に向けて配置されたスピーカから放射される音声の一部を反射してプラズマディスプレイの前方側へ放射する。
ここで、上記反射板は上記スピーカの前面に対して平行に配置された状態から上記プラズマディスプレイパネル側の端辺を上記筐体の側方方向に移動させ、上記スピーカに対して所定角度上記筐体の側方方向に広がり配置される。
すなわち、上記スピーカーより放射された音声の一部が上記側方方向に直進して上記反射板に衝突し、上記所定角度によってその進行方向が上記プラズマディスプレイパネル前面に向かうことになる。また、上記所定角度は上記スピーカから直進した音声が上記プラズマディスプレイパネル前面に放射される角度であれば特に限定せず任意とし、その範囲で角度を可変させることが可能な構造としてもよい。
【０００８】
請求項３にかかる発明は、請求項２に記載の上記反射板は、断面略コの字形状で上記表示部の側に開口しつつ上記スピーカの側に向かって延設される樋形状部を有し、
上記スライド機構は、当該樋形状部をスライド可能に支持する構成としてある。
【０００９】
上記のように構成した請求項３にかかる発明においては、上記樋形状部はその片側端面を上記反射板で塞がれ、一方は上記スピーカの側に延設される。このとき、上記樋形状部は上記音声出力部からの音声を導くことが可能となるようにその断面略コの字形状の中に上記スピーカが配置可能な大きさが必要である。
そして、上記樋形状部の開口側両端の面では上記スライド機構を誘導するためのスライド機構に見合った構造となるように所定の成形を施す。また、上記スライド機構は上記樋形状部を支持しスライド可能であればよい。例えば、上記樋形状部の開口する両端に位置する面を内部から当接させて支持し、その当接部分でそれぞれ凹部と凸部を設けることで上記凹凸を嵌合させ上記筐体の側方方向に誘導する構成でもよい。また、上記樋形状部の開口する両端の面に溝を設け上記溝に当接し上記溝に沿って移動可能な滑車を上記スライド機構に取り付けて上記樋形状部を誘導する構成であってもよい。また、これらの手動、自動を問わない。
【００１０】
また、請求項４にかかる発明は、請求項２から請求項３のいずれかに記載の上記反射板は、放音孔を有する構成としてある。
【００１１】
上記のように構成した請求項４にかかる発明においては、上記反射板は放音孔を有している。ここで、上記放音孔は上記反射板に網状に開口した無数の孔である。上記反射板の収納時においては上記反射板が上記スピーカの前面を覆った際に、上記スピーカに対応した位置に上記放音孔を設けることで上記スピーカから放射された音声は上記放音孔を介して上記筐体の側方方向へ放射される。
【００１２】
また、請求項５にかかる発明は、請求項２から請求項４のいずれかに記載の上記筐体は、背面側で上記スピーカを収容可能な大きさに一部盛り上がる傾斜面を有する形状であり、
上記反射板は収容された時点で上記傾斜面と面一になって収容され、上記筐体の側方方向に引き出すことにより前方側に音を反射させる構成としてある。
【００１３】
上記のように構成した請求項５にかかる発明においては、上記筐体の背面形状は、上記反射板と樋形状部がスピーカを覆った音声出力部を収容可能な大きさに後方へ一部盛り上がる形状である。そして、上記盛り上がった最も後方の面の周囲で基の面までの傾斜面を形成する。ここで、上記筐体の側方の上記傾斜面と上記盛り上がった最も後方の面で反射板と樋形状部の一部を形成することで、これらを上記筐体の背面で面一となる。そして、上記反射板を上記筐体の側方方向へ引き出すと上記樋形状部が上記音声出力部からの出力音声を上記反射板に反射させるべく誘導する。すると、上記出力音声は上記反射板で反射して上記表示部の前方側に放射される。
【００１４】
また、請求項６にかかる発明は、請求項５に記載の上記筐体は、背面側で後方に向かうほど徐々に幅狭となる形状で両側面で傾斜面を有し、その内部に横方向に配向した上記スピーカを収容する構成としてある。
【００１５】
上記のように構成した請求項６にかかる発明においては、上記筐体の背面形状は、上記筐体前面の最大幅から後方に向かい徐々に幅が狭くなる形状であり、上述のような幅狭となることで筐体側方の形状に傾斜が生じる。上記傾斜を利用して上記反射板を形成し、これに連続する筐体で上記樋形状部形成する。上記スピーカは上記筐体内部で両側に側方方向に向けて配置される。
【００１６】
また、請求項７にかかる発明は、請求項２から請求項６のいずれかに記載の上記スライド機構は、上記反射板をスライドして進退させるためのを駆動源と、同駆動源に対して進退の指示を与える進退制御回路を有する構成としてある。
【００１７】
上記のように構成した請求項７にかかる発明においては、上記スライド機構には上記反射板の進退を自動で行うための駆動源が備えられる。上記駆動源は上記進退制御回路と電気的に接続されており、上記進退制御回路にて進退の指示を上記駆動源に出力する。
ここで、上記進退制御回路に入力される進退の指示としては、ユーザーが上記進退制御回路に備えられたスイッチ等で指示することが可能である。さらに、上記進退制御回路を上記制御部に接続すれば、上記プラズマディスプレイ装置に備えられたコントロールパネルやリモコン等によってもユーザーが進退の指示をすることが可能である。また、上記プラズマディスプレイパネルの状態を上記制御部を介して検知し所定の信号を入力することにより進退の指示とすることも可能である。
さらに、上記進退制御回路から上記駆動源への出力を制御することにより上記反射板の進退の度合いを調整することも可能である。その一例として、駆動源にモーターを設け、その駆動電源のオンオフを上記進退制御回路からのオンオフ信号の出力時間を制御することで駆動部へ出力する。これにより上記モータの動作は上記進退制御回路からのオンオフ信号の出力と同期して、進退の度合いを調整することも可能である。
【００１８】
また、請求項８にかかる発明は、請求項２から請求項７のいずれかに記載の上記音声出力部は、音声出力の状態を変える音声出力調整回路を有し、上記進退制御回路は、上記駆動源に対する進退の指示に伴って上記音声出力調整回路にてあらかじめ定めた所定の音声出力状態に変更させる構成としてある。
【００１９】
上記のように構成した請求項８にかかる発明においては、上記音声出力部は上記制御部と電気的に接続されており、上記制御部からの音声出力を上記音声出力調整回路に入力する。上記音声出力調整回路では入力された音声に対して所定の周波数のレベルを上下させることで調整して、所定の音声出力状態に変更し上記スピーカに出力する。
そして、上記進退制御回路は上記音声出力調整回路と接続されており、上記駆動源に対する指示に伴う出力信号を生成し上記音声出力調整回路に出力する。以上により上記駆動源に対する進退の指示に伴って所定の音声出力状態で音声を出力する。
ここで、反射板の進退の度合いと出力音声の状態を組み合わせてモードとして上記進退制御回路または上記制御部記憶しておく。これにより、ユーザが所定の方法でそのモードを選択すると、上記進退制御回路は駆動源への出力と共に上記音声出力調整回路に信号を出力し、上記音声出力調整回路および上記駆動部に上記モードのそれぞれ所定の動作を行わせることが可能となる。ただし、上記制御部に上記モードの記憶がされた場合は進退制御回路に直接指示が出された場合を想定し、上記進退制御回路と上記制御回路間で双方向の通信ができる手段が必要となる。
【００２０】
ここで、請求項１は、プラズマディスプレイパネルを前面に配置した表示部と、当該表示部の背面側で側方外側に向けてスピーカを配置した音声出力部と、上記表示部と上記音声出力部の制御を行う制御部と、これらを収容する薄箱状であり背面側で後方に向かうほど徐々に幅狭となる形状で両側方に傾斜面を有する形状の筺体とを備えるプラズマディスプレイ装置において、
収容された時点で上記筐体の背面側の上記傾斜面と面一となり、上記スピーカの前面側にて音声の一部をプラズマディスプレイパネルの前方側に反射させる断面略コの字形状で上記表示部の側に開口しつつ上記スピーカの側に向かって延設される樋形状部と放音孔とを有した反射板と、
当該樋形状部をスライド可能に支持し同反射板を上記筺体の側方方向に進退可能とするスライド機構とを具備する構成としており、請求項１は上記請求項２から請求項５までの手段と作用を総合したものと言える。
【発明の効果】
【００２１】
以上説明したように請求項１、請求項２にかかる発明によれば、ユーザによりスピーカの音圧を調整することが可能となる。
請求項３にかかる発明によれば、音声出力部からの音声出力を樋形状部で誘導し表示部の側に放射することが可能となる。
請求項４にかかる発明によれば、反射板の収納時においても音声出力部からの音声の放射が可能である。
請求項５、請求項６にかかる発明によれば、筐体背面の傾斜面を利用して反射板を形成することができる。
請求項７にかかる発明によれば、反射板の進退を自動で制御することが可能となる。
請求項８にかかる発明によれば、反射板の進退制御と出力される音声の状態を連動することが可能となり表示部の内容に合わせて出力音声に効果を与えることができる。
【発明を実施するための最良の形態】
【００２２】
以下、下記の順序に従って本発明の実施形態を説明する。
（１）本実施例にかかるプラズマディスプレイ装置の構成と実施例：
（２）変形例にかかるプラズマディスプレイ装置の構成：
（３）進退制御の動作説明：
（４）変形例：
（５）まとめ：
【００２３】
（１）本実施例にかかるプラズマディスプレイ装置の構成と実施例：
図１、図２は、本発明にかかるプラズマディスプレイ装置１０の前面および背面からの概略平面図である。
同図においてプラズマディスプレイ装置１０は、フロントとリアのキャビネットからなる、横が長手方向の略長方形で薄型の筐体５０を備えている。そして、プラズマディスプレイ装置１０は、上記筐体５０の底面部から下方に略垂直に延びた二本のスタンドと上記スタンド端部を床面と面で当接させたスタンドベースで床面上に支持されている。
上記筐体５０前面側は、表示部４０がフロントキャビネット５０ａに周囲を覆われて配置されており、当該表示部４０の前面にて映像を表示する。
一方、上記筐体５０背面側の上記リアキャビネット５０ｂは、後方に向かうほど徐々に幅狭となる形状で後方に所定の奥行きを持つ形状となっている。この奥行きによって内部に収容空間を形成しており、当該収容空間における両側下方の部位に一対の音声出力部３０を収容している。音声出力部３０は、各々側方方向に向けて配置されたスピーカ３１から音声を出力する。また、上記プラズマディスプレイ装置１０の制御を行う制御部２０が同装置内部の制御基板上に配置されて上記筐体５０内に収容されている。
【００２４】
また、上記リアキャビネット５０ｂの下方中央には所定幅と奥行で下方と後方に開口したＬ字型に凹んだ端子接続部５３があり、電源や外部とのビデオ信号入出力、スレーブ等との接続を行う端子が集合している。
図１に示したリモコン７０は、ユーザからの指示を受けて信号を出力し、上記フロントキャビネット５０ａに配置されたリモコンＩ／Ｆ２７を介して上記制御部２０に信号を入力する。
上記プラズマディスプレイ装置１０は上記端子接続部５３やアンテナを介して入力されたビデオ信号から抽出された映像信号を表示部４０へ、また、音声信号を音声出力部３０へ出力する。上記音声出力部３０は上記プラズマディスプレイ装置１０の背面で側方外側に向けてスピーカ３１を配置しており、出力された音声は上記プラズマディスプレイ装置１０の側方方向へ放射される。
【００２５】
上記音声出力部３０は、略楕円の振動板を有した５Ｗ出力のスピーカ３１と、図３に示すような略箱形状でスピーカ３１後部の音響容積の確保も兼ねたスピーカホルダ３２とからなる。
上記スピーカ３１は、上記筐体５０内に収容された上記制御部２０からスピーカ線で接続されており、上記スピーカホルダ３２の片側端面に開口した略楕円形の開口部分から振動板が露出するように上記端面に配置されている。そして、上記端面に振動での音割れを防ぐようにしっかりと固定される。
上記スピーカホルダ３２には、上記表示部４０側の面が連続して上記スピーカ３１載置面よりも延設され所定の位置で上記表示部４０側方向へ所定長さ分直角に曲げられた第一延設部３３が設けられている。また、上記スピーカホルダ３２の上記スピーカ３１載置面と対向する面にて同スピーカホルダ３２の縦方向と同幅で外側に所定長さ延設された上記第二延設部３４とが設けられている。
【００２６】
上記スピーカ３１を搭載した上記音声出力部３０は、後述する上記リアキャビネット５０ｂの下方両側に設けられて、後方に開口した略コ字形状で上記スピーカホルダ３２よりも大きく形成された凹部に装着される。
そして、上記第一延設部３３の折り曲げ部分を上記フロントキャビネット５０ａ側部と上記表示部４０の保持部材の隙間に挿入して同折り曲げ部側からネジで固定する。一方、上記第二延設部３４は上述のスタンドを筐体５０内で固定するためのシャーシと上記第二延設部３４側からネジで固定する。
このように上記筐体５０内に取り付けられた上記音声出力部３０は、上記スピーカ３１部分が開口した上記リアキャビネット５０ｂに覆われた状態となる。
以上説明した音声出力部３０は、左右対象の形状で上記リアキャビネット５０ｂ内に固定される。
【００２７】
以上のように配置された上記音声出力部３０から出力される音声は、上記スピーカ３１が上記プラズマディスプレイ装置１０の側方へ向いているために音声が側方に放射されてしまう。そのため、視聴者のいる上記表示部４０前面方向では音圧が低く感じられる。
そこで、本実施例では上記スピーカ３１前面に反射板６０を置き上記スピーカ３１からの音声出力の一部を反射させることにより上記表示部４０前面方向に放射する。
【００２８】
図４は上記音声出力部３０に本実施例にかかる反射板６０を取り付けた際の上方からの概略図である。
上記反射板６０は、上記スピーカ３１に対して上記表示部４０側の端辺を上記筐体の側方方向に４５度の角度に広がり配置される。
ここで、上記リアキャビネット５０ｂは、上記フロントキャビネット５０ａの最大幅から後方に向かい徐々に幅が狭くなる形状であり、上記幅狭となった上記リアキャビネット５０ｂの側方の形状に傾斜面５１が生じる。上記傾斜面５１を利用して上記反射板６０を形成し、これに連続するリアキャビネット５０ｂの最も後方となる面で上記樋形状部６１の第一側面６３を形成することが可能である。
このように、上記リアキャビネット５０ｂと上記第一側面６３、および、上記傾斜面５１に反射板６０を面一に収容することができるように、上記音声出力部３０の位置で後方に開口した略コ字状に上記リアキャビネット５０ｂを形成する。
【００２９】
上記樋形状部６１は、上記リアキャビネット５０ｂと面一となる上記第一側面６３の上辺下辺からそれぞれ上記表示部４０の側に略垂直に延設された第二側面６２ａ、第三側面６２ｂからなる断面略コ字形状となっている。そして、上記表示部４０の側に開口しつつ筐体５０の側方側の端面を上記傾斜面５１を利用した反射板６０で塞がれ、一方は上記スピーカ３１の側に延設される。
上記第二側面６２ａ、第三側面６２ｂのスピーカ３１側端は上記スピーカホルダ３２の第二延設部３４が固定される図示しない上記シャーシとの衝突を避けるため、上記スピーカホルダ３２端までとなっている。そして、後述するスライド機構６２ａ１，６２ｂ１部分だけが上記スピーカホルダ端よりもさらに延設された形状となっている。
上記反射板６０と横方向に連続した上記樋形状部の第一側面６３とで形成される角度により、上述のように上記スピーカ３１から放射された音声を反射する。また、上記反射板６０と上記樋形状部６１の接続部分内側は曲面となっている。
【００３０】
上記反射板６０と上記樋形状部６１は一体となって、スライド機構６２ａ１，６２ｂ１，５２ａ，５２ｂにより上記筐体５０の側方方向に移動が可能である。
本実施例における上記スライド機構６２ａ１，６２ｂ１，５２ａ，５２ｂを、図５、図６に示す。
上記スライド機構６２ａ１，６２ｂ１は、上記樋形状部６１の第一側面６３を挟んだ上下の面の後方側端に所定の幅を残して反射板６０側端からもう一方の端まで連続した凹部である。また、スライド機構５２ａ，５２ｂは、上記リアキャビネット５０ｂの略コ字形状部分上下の面で上記凹部６２ａ１，６２ｂ１に対応する位置に設けられた凸部である。  上記略コ字形状部分の上側の面に下方に突出して形成された凸部５２ａには、凹部６２ａ１が対応する。また、もう一方の下側の面に上方に突出して形成された凸部５２ｂには凹部６２ｂ１が対応する。これらをそれぞれ対応させてスライドすることで上記反射板６０を上記筐体５０の側方方向に誘導する。
【００３１】
また、上記樋形状部６１の第一側面６３の音声出力部３０側には所定の位置で突出した係止部６３ａが設けられている。上記係止部６３ａは、上記スピーカホルダ３２のスピーカ３１載置面から筐体５０の後方側に突出した係止受け３２ａと当接することで上記反射板６０の側方方向へ移動を制限する。この制限により、上記樋形状部６１が上記リアキャビネット５０ｂから抜け落ちることはなくなる。
また、上記樋形状部６１の第一側面６３上には溝６３ｂが数本設けられている。上記筐体５０と面一の上記反射板６０を引き出す際には、上記溝に指を当て、押して側方方向に引き出すことで上記リアキャビネット５０ｂと面一となった上記第一側面６３を引き出しやすくする。
また、上記反射板６０は網状に開口した無数の孔である放音孔６０ａを有している。上記反射板６０が上記筐体内に収納されて上記スピーカ３１の前面を覆った際にも、上記スピーカ３１に対応した位置に上記放音孔６０ａを設けることで、上記スピーカ３１から放射された音声は上記放音孔６０ａを介して上記筐体５０の側方方向へ放射される。
【００３２】
以上のように、上記スライド機構６２ａ１，６２ｂ１，５２ａ，５２ｂによって上記反射板６０を上記筐体５０の背面側で側方方向に引き出すことが可能となる。すると、上記筐体５０の側方方向に向け配置されたスピーカ３１より放射された音声の一部が上記樋形状部６１によって上記筐体５０の側方方向に誘導されて上記反射板６０に衝突する。そして、上述の角度によってその進行方向が上記表示部４０前面に向かうことになる。
このように、上記表示部４０前面方向に音声が放射されることによって上記表示部４０の前面に位置する視聴者の聴感上の音圧を向上させることになる。
【００３３】
以上の実施例では反射板６０の引き出しを手動で行う例を説明したが、この反射板６０の進退を自動で行う例を次に説明する。
【００３４】
（２）変形例にかかるプラズマディスプレイ装置の構成：
図７は変形例にかかるテレビジョンとしてのプラズマディスプレイ装置１１０の概略構成を示すブロック図である。以下、制御部１２０について説明する。
同図において、プラズマディスプレイ装置１１０は、図示しないアンテナからの周波信号を入力するチュ−ナ部１２１を備えている。チュ−ナ部１２１は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部１２１に与えられる。
【００３５】
また、プラズマディスプレイ装置１１０は、外部入力端子１２２を備えている。外部入力端子１２２には、外部装置としてのＤＶＤ装置などが接続可能であり、この外部入力端子１２２を介してＤＶＤ装置などからの映像信号及び音声信号を入力可能となっている。
上述したチュ−ナ部１２１と外部入力端子１２２とには図示しないスイッチ回路が接続されている。上記スイッチ回路は、チュ−ナ部１２１からの映像信号、または、外部入力端子１２２からの映像信号のいずれか一方を有効とし、後述する映像信号処理部１２３に供給するためのものである。すなわち、本発明にかかる表示部１４０は、テレビジョン放送の受像と、ＤＶＤ装置などからの映像の表示との両方を行うことが可能なように構成されている。
【００３６】
チュ−ナ部１２１または外部入力端子１２２からの出力は、映像信号処理部１２３に供給される。映像信号処理部１２３は、図示しないカラ−デコ−ダを備えている。上記カラ−デコ−ダは、入力された信号から、Ｒ、Ｇ、Ｂの３原色信号を復調する。また、上記カラ−デコ−ダは、図示しないＡ／Ｄ変換器を備え、入力されたＲ、Ｇ、Ｂの３原色信号をデジタル信号に変換する。さらに、上記カラ−デコ−ダは、映像信号と音声信号との分離も行い、分離された音声信号を後述するＤ／Ａ変換器に供給する。上記カラ−デコ−ダは、さらに、ＯＳＤ処理部１２４を備えている。このＯＳＤ処理部１２４は、映像に所定の静止画像を重ねて表示したり、所定の静止画像を差し替えて表示する等の処理を行うことができる。ＯＳＤ処理部１２４は、文字情報等のデ−タをＣＰＵ１２５から入力し、同文字情報等のデ−タに基づいて静止画像を生成することが可能となっている。
【００３７】
また、リモコン７０等からの所定の操作に基づいて、ＣＰＵ１２５はメニュー画面を表示部１４０に表示させる制御を行う。
また、映像信号処理部１２３から出力された音声信号は、音声出力調整回路１２８に入力される。音声出力調整回路１２８では入力された音声信号に対して、所望の周波数のレベルを上下させることにより音声の状態を変化させることが可能である。
上記音声出力調整回路１２８を介した上記音声信号は、アンプ１２９で増幅され音声出力部１３０に入力される。そして、スピーカ１３１より音声を出力する。
【００３８】
上述したＣＰＵ１２５は、図示しないバスに接続されており、上記バスに接続されたＲＡＭをワ−クエリアとしながら、プラズマディスプレイ装置１１０の各種機能を実現するための制御処理を実行する。また、上記バスには書き換え可能なＥＥＰＲＯＭ１２６が接続されており、ＣＰＵ１２５、ＥＥＰＲＯＭ１２６に記憶された各種デ−タを使用して制御処理を実行する。
ＥＥＰＲＯＭ１２６には、上述したＯＳＤ処理部１２４にＯＳＤ処理を行わせるためのＯＳＤデ−タが記憶されている。
ＣＰＵ１２５にはリモコンＩ／Ｆ１２７が接続されており、リモコン７０から出力される赤外線明滅信号を入力可能になっている。この赤外線明滅信号は、バスを介してＣＰＵ１２５に送出され、ＣＰＵ１２５は対応する制御処理を実行する。
【００３９】
（３）進退制御の動作説明：
図７においては、上記反射板６０の進退を自動で行う駆動部１８０が備えられている。  上記駆動部１８０はモータを駆動源として、図５において破線で示したボックス１８０ａの中に配置された上記モータと複数のギヤを介して回転力を伝達し、上記ギアに当接したネジ軸となる回転軸１８０ｂを回転させる。そして、上記実施例で説明した係止部６３ａを下方に延長して所定のめネジ穴を設けて上記回転軸１８０ｂを受ける軸受け１８０ｃとすると、回転した上記回転軸１８０ｂは上記めネジ穴に沿って摺動するボールネジを構成している。
すなわち、上記軸受け１８０ｃを備えた上記樋形状部６１が上記回転軸１８０ｂの方向に移動することになる。また、上記モータの回転方向により、上記回転軸１８０ｂに沿って上記軸受け１８０ｃが二方向に移動することが可能であるので、上記樋形状部６１および上記反射板６０を筐体の側方方向に進退させることができる。
【００４０】
ここで、上記モータの駆動の有無やその回転方向を進退制御回路１８１によって制御する。上記進退制御回路１８１は、プラズマディスプレイ装置１１０の制御部１２０と接続されており、モータ駆動用の電源を上記制御部１２０を介して供給された電源から生成する。そして、ＣＰＵ１２５からの命令に従って上記駆動部１８０へ上記電源を供給する。また、ＣＰＵ１２５は最後に行った進退の状態をＥＥＰＲＯＭ１２６に記憶している。そして、次の進退命令がされたときに最後の進退の状態を呼び出して、進退のどちらか一方の命令が過剰に実行されないように反射板６０の進退の監視を行う。
【００４１】
例えば、反射板６０が筐体５０に収納された状態から、上記筐体５０の側方に突出させたいとき、ユーザーはリモコン７０に設けられた「進」スイッチを押す。すると、リモコン７０が進出信号を出力しするので、ＣＰＵ１２５はリモコンＩ／Ｆ１２７を介して上記進出信号を認識する。その後、ＣＰＵ１２５はＥＥＰＲＯＭ１２６に記憶された最後の進退の状態を読み出して、まだ反射板６０が進出していないならば上記進退制御回路１８１に制御信号を出力する。
この制御信号に基づき上記進退制御回路１８１は、モータを順方向に回転させるように上記駆動部１８０にモータ駆動電源を供給する。すると、上記モータは順方向に回転し、上述の動作により上記反射板６０を上記筐体５０の側方方向へ進出する。
【００４２】
また、反射板６０が筐体５０に収納された状態でリモコン７０に設けられた「退」スイッチを押すと、リモコン７０は後退信号を出力し、リモコンＩ／Ｆ１２７を介して上記信号をＣＰＵ１２５に入力する。上述と同様に、ＣＰＵ１２５はＥＥＰＲＯＭ１２６に記憶された最後の進退の状態を呼び出すが、反射板６０が進出していないので上記進退制御回路１８１には信号を出力しない。
このように、上記制御部１２０のＣＰＵ１２５によって上記反射板６０の進退を監視し、進退制御回路１８１によって進退制御を行う。
【００４３】
ここで、進退の状態は進出と後退のどちらかに限られるものではなく、反射板６０の可動範囲内で詳細に進退の位置設定が可能である。
一例として、ＣＰＵ１２５は、上記進退制御回路１８１へ進退信号を出力する際、進退の方向を示す信号と、モータへの通電を指示する移動信号の出力時間とにより、駆動部１８０における進退位置の制御をすることが可能である。具体的には、まずＣＰＵ１２５が進退方向を示す信号を出力する。上記進退制御回路１８１は、この信号により駆動部１８０のモータへの通電極性を決定する。次に、ＣＰＵ１２５は移動信号を出力し、上記進退制御回路１８１は上記移動信号と連動して上記駆動部１８０へ駆動電源を供給する。
ここで、上記反射板６０が収納されている状態を初期位置ｔ０＝０として進出が最大となるまでの時間、ここではｔｍａｘ＝１０として記憶しておき、０≦ｔ≦１０の範囲で進退を制御する。
【００４４】
上記動作として、図８にＣＰＵ１２５が実行する進退制御動作に対応したフローチャートを示す。
ステップＳ１００では、ＣＰＵ１２５は、ＥＥＰＲＯＭ１２６から反射板６０の進退の状態ｔ１を検出する。このとき、上記進退の状態ｔ１は上記初期位置ｔ０からの移動時間で表される。上述したように、上記ＣＰＵ１２５が上記進退制御回路１８１出力した、信号の出力時間と信号をＥＥＰＲＯＭ１２６に記憶しているので、これまでの移動信号の出力時間と進退の方向の蓄積から反射板６０の現在の進退の状態ｔ１が検出される。また、上記進退の状態ｔは上記初期位置からの移動時間であり０≦ｔ≦１０の正の数となる。
ステップＳ１１０では、所望の進退の状態ｔ２と現在の進退の状態ｔ１の差分Δｔ＝ｔ２−ｔ１を求める。これにより現在の状態からどれだけ移動させる必要があるかを求める。
【００４５】
次に、ステップＳ１２０では、上記差分Δｔをもとにまず差分があるかを判断する。Δｔ＝０であれば差分が無いということであり、すなわち、移動の必要が無いということであるのでこの処理は終了する。そして、差分Δｔ＝０でない場合は次のステップに移行する。
ステップＳ１３０では、上記差分Δｔが正（Δｔ＞０）であるかを判断する。正（Δｔ＞０）である場合は、現在の状態から進出方向に移動させるということになり、ステップＳ１３１にて上記進退制御回路１８１へモータの回転が順方向であることを示す信号を出力する。
また、負（Δｔ＜０）である場合は、現在の状態から後退方向に移動させるということになり、ステップＳ１３２にて上記進退制御回路１８１へモータの回転が逆方向であることを示す信号を出力する。
そして、ステップＳ１４０では、ステップＳ１１０で求めた差の絶対値｜Δｔ｜の時間分、上記進退制御回路１８１へ移動信号を出力し、進退制御処理を終了する。
【００４６】
上記進退制御処理を具体的な例として、反射板６０をｔ＝３の位置に移動させたい場合で説明する。
ＣＰＵ１２５はＥＥＰＲＯＭ１２６に記憶されたデータから、現在、上記反射板６０の進出が最大であることを検出する（ステップＳ１００）。上記反射板６０の所望の位置はｔ＝３であるから、まず、差分を求める（ステップＳ１１０）。上記差分Δｔ＝−７であることから（ステップＳ１２０）、上記ＣＰＵ１２５はモータを後退方向に（ステップＳ１３０）ｔ＝７移動させる信号を上記進退制御回路１８１へ出力する（ステップＳ１４０）。上記進退制御回路１８１は、まずモータの回転が逆方向であることを示す信号を入力し駆動部１８０への通電極性を切り換える。そして、移動時間分の信号を入力し駆動部１８０のモータに電源を供給する。このように、上記駆動部１８０のモータが駆動して上記反射板６０が所望の位置に進退する。
以上のように、上記ＣＰＵ１２５は上記進退制御回路１８１を介して上記反射板６０の進退を詳細に制御可能となる。
【００４７】
（４）変形例：
以上説明した反射板６０の進退を、映像の状態によって音声の出力状態と連動させ変化させる例を説明する。
まず、上記音声出力調整回路１２８では、上述したように入力された音声信号の所望の周波数に対してレベルを変化させることが可能である。ここでは、表示部１４０に表示される映像の種類や状態に応じて、ニュースモードやシアターモード等のモードをいくつか設定してＥＥＰＲＯＭ１２６に記憶しておく。さらに、各モードに対してあらかじめ変化させる周波数を設定して、同様にＥＥＰＲＯＭ１２６に記憶させておく。
上記ニュースモードであれば、入力された音声の周波数特性について、ニュースを読む人の声が良く聞こえるように、人の声の周波数である１ｋＨｚ前後の周波数レベルを上げるように設定しておく。同様に、上記シアターモードであれば、映画の臨場感を再現できるように可聴周波数帯域の高域と低域の周波数レベルを上げて設定しておく。
【００４８】
上記ＥＥＰＲＯＭ１２６には、上記ＣＰＵ１２５が上記進退制御回路１８１に対して出力する信号が上記モードに関連づけて記憶されている。
上述の進退制御動作の説明から、上記シアターモードであれば音の広がりを実現するために、反射板６０の進出が最大となるようｔ＝１０に設定する。また、上記ニュースモードであれば表示部１４０前の視聴者に明瞭に音声が届くように、例えばｔ＝３に設定するなど、上記音声の状態と関連づけて上記ＥＥＰＲＯＭ１２６に記憶しておく。
このようなモードの選択は、ユーザがリモコン７０や操作パネルにあらかじめ設定されているモードキーまたは、ＯＳＤによるメニュー画面に基づいて行うようになっている。
【００４９】
上記モードの選択として、上記ニュースモードが選択されたとする。
上記モードが選択されると、まず、ＣＰＵ１２５はＥＥＰＲＯＭ１２６より上記ニュースモードに関連づけられた音声の状態を呼び出す。そして、上述した１ｋＨｚ前後の周波数レベルを上げた特性であることを示すデータを音声出力調整回路１２８に出力する。
上記音声出力調整回路１２８では映像信号処理部１２３で分離された音声信号を入力し、上記ＣＰＵ１２５から入力されたデータに基づいて調整処理を施してアンプ１２９に出力する。上記アンプ１２９で音声信号は増幅されて音声出力部１３０に出力される。そして、スピーカ１３１から上記ニュースモードに調整された音声が出力される。
【００５０】
一方で、上記ＣＰＵ１２５はＥＥＰＲＯＭ１２６より上記ニュースモードに関連づけられた反射板６０の進退の状態を呼び出す。そして、上述の進退制御処理を行い、あらかじめ上記ニュースモードとして設定している位置ｔ＝３に反射板６０を移動させる。  このように、上記ＣＰＵ１２５は、音声出力部１３０と駆動部１８０を、音声出力調整回路１２８と進退制御回路１８１を介して、上記選択されたモードとしてあらかじめ設定された適切な状態とする。そして、上述の処理はユーザが所望する状態での視聴を可能にする。
上記音声出力調整と進退制御は、上述のようにモードとしてあらかじめ関連づけて設定されていてもよいし、ユーザーによって各々設定を変更することももちろん可能である。
【００５１】
以上から、反射板６０の進退を自動で行うことで、プラズマディスプレイ装置１１０の音声出力やリモコン７０等の機能との連動が可能となる。そして、スピーカ３１の音圧を改善しつつ上記反射板６０による音圧の変化を利用することで、より快適な視聴が実現できる。
【００５２】
（５）まとめ：
以上説明したように、反射板６０をスライド機構６２ａ１，６２ｂ１，５２ａ，５２ｂによって上記反射板６０を上記筐体５０の背面側で側方方向に引き出すことが可能となる。すると、上記筐体５０の側方方向に向け配置されたスピーカ３１より放射された音声の一部が上記樋形状部６１によって上記筐体５０の側方方向に誘導されて上記反射板６０に衝突する。そして、上述の角度によってその進行方向が上記表示部４０前面に向かうことになる。
このように、上記表示部４０前面方向に音声が放射されることによって上記表示部４０の前面に位置する視聴者の聴感上の音圧を向上させることが可能となる。
【図面の簡単な説明】
【００５３】
【図１】プラズマディスプレイ装置前面の概略平面図である。
【図２】プラズマディスプレイ装置背面の概略平面図である。
【図３】音声出力部の概略斜視図である。
【図４】音声出力部と反射板を上方から見たときの概略図である。
【図５】筐体と反射板の関係を示す概略斜視図である。
【図６】筐体と樋形状部の概略断面図である。
【図７】変形例にかかる概略構成図である。
【図８】反射板の進退制御処理を示すフローチャートである。
【符号の説明】
【００５４】
１０…プラズマディスプレイ装置
２０…制御部
３０…音声出力部
３１…スピーカ
３２…スピーカホルダ
３２ａ…係止受け
３３…第一延設部
３４…第二延設部
４０…表示部
５０…筐体
５０ａ…フロントキャビネット
５０ｂ…リアキャビネット
５１…傾斜面
５３…端子接続部
６０…反射板
６０ａ…放音孔
６１…樋形状部
６２ａ…第二側面
６２ｂ…第三側面
６２ａ１，６２ｂ１，５２ａ，５２ｂ…スライド機構
６３…第一側面
６３ａ…係止部
７０…リモコン
【図１】
2006050264.tif 000003
【図２】
2006050264.tif 000004
【図３】
2006050264.tif 000005
【図４】
2006050264.tif 000006
【図５】
2006050264.tif 000007
【図６】
2006050264.tif 000008
【図７】
2006050264.tif 000009
【図８】
2006050264.tif 000010